(57)【要約】【課題】  ステータを精度良く製作しなくても、各磁路の磁気抵抗を同一となるように調整することができる技術を提供する。【解決手段】  ブラシレスモータは、ロータと、複数のコアプレート５１ａ，５１ｂが積層されたステータ５０を有している。コアプレート５１ａ，５１ｂは、複数のティース部５４，（５５，５６），５８を有している。複数のコアプレートは、各ティース部５４，５５，５８の磁気抵抗の組合せが第１の状態に調整された第１コアプレート５１ａと、各ティース部５４，５６，５８の磁気抵抗の組合せが第２の状態に調整された第２コアプレート５１ｂを含んでいる。第１コアプレート５１ａと第２コアプレート５１ｂの枚数比を調整することで、積層された複数のティース部によって形成される各磁路の磁気抵抗が同一となるように調整されている。【選択図】  図２
2013090373.tif 000002
【特許請求の範囲】
【請求項１】
ロータと、
ロータの外周側に配置され、複数のコアプレートが積層されたステータと、を有しており、
複数のコアプレートのそれぞれは、ロータの周方向に間隔を空けて配置された複数のティース部を有しており、複数のコアプレートが積層されると、各コアプレートの複数のティース部もそれぞれ積層され、
複数のコアプレートは、各ティース部の磁気抵抗の組合せが第１の状態に調整された第１コアプレートと、各ティース部の磁気抵抗の組合せが第２の状態に調整された第２コアプレートを含んでおり、
第１コアプレートと第２コアプレートの枚数比を調整することで、複数のコアプレートが積層された状態で、積層された複数のティース部によって形成される各磁路の磁気抵抗が同一となるように調整されている、ブラシレスモータ。
【請求項２】
第１コアプレートは、複数のティース部の少なくとも一つにおいて、予め設定された所定部位の断面積が第１断面積とされており、
第２コアプレートは、前記所定部位に対応する部位の断面積が、第１断面積と異なる第２断面積とされている、請求項１に記載のブラシレスモータ。
【請求項３】
各ティース部は、ロータの外周に間隔を空けて対向する先端部と、ヨークに接続される後端部と、先端部と後端部の間に設けられ、コイルが巻回される中間部を有しており、
前記所定部位は、ティースの先端部又は中間部に設定されている、請求項２に記載のブラシレスモータ。
【請求項４】
第１コアプレートは、前記所定部位において貫通孔が形成されておらず、
第２コアプレートは、前記所定部位に対応する部位において貫通孔が形成されている、請求項２に記載のブラシレスモータ。
【請求項５】
請求項１〜４のいずれかに記載のブラシレスモータと、
そのブラシレスモータによって駆動されるインペラと、
そのインペラを回転可能に収容するポンプ室と、を有している、電動ポンプ。
【発明の詳細な説明】
【技術分野】
【０００１】
本明細書は、ブラシレスモータ及び電動ポンプを開示する。
【背景技術】
【０００２】
ブラシレスモータでは、ロータの外周側に配置されたステータに複数のティースが設けられ、これら複数のティースにコイルが巻回されている。ロータを回転させる際は、各ティースのコイルに流れる電流をオン−オフ制御することで、ティース間に磁束を流し、ロータを回転させる駆動力を発生させる。ロータを回転させる駆動力は、磁束が流れる磁路（磁束が流れるティース間）の磁気抵抗により変わる。このため、磁気抵抗が磁路毎に異なると、ロータを回転させる駆動力が周期的に変化し、ロータに回転振動が発生する。かかる問題を解決するために、特許文献１の技術が提案されている。特許文献１の技術では、磁路毎の磁気抵抗が同一となるように、各ティースに巻回されるコイルの巻数が設計され、あるいは、各ティースの幅や厚み等が設計される。これによって、ロータを回転させる駆動力の変動を抑えている。
【先行技術文献】
【特許文献】
【０００３】
【特許文献１】特開平９−２６１９０２号公報
【発明の概要】
【発明が解決しようとする課題】
【０００４】
特許文献１の技術では、各磁路の磁気抵抗が同一となるように設計し、その設計に基づいてステータを製作する。このため、特許文献１の技術では、各磁路の磁気抵抗を同一とするためには、ステータを精度良く製作する必要がある。特に、磁気抵抗の相違がわずかな場合は、ステータに求められる精度は非常に高くなる。
【０００５】
本願は、上述した実情に鑑みて為されたものであり、ステータを精度良く製作しなくても、各磁路の磁気抵抗を同一とすることができる技術を提供する。
【課題を解決するための手段】
【０００６】
本明細書によって開示されるブラシレスモータは、ロータと、ロータの外周側に配置され、複数のコアプレートが積層されたステータと、を有している。複数のコアプレートのそれぞれは、ロータの周方向に間隔を空けて配置された複数のティース部を有しており、複数のコアプレートが積層されると、各コアプレートの複数のティース部もそれぞれ積層される。複数のコアプレートは、各ティース部の磁気抵抗の組合せが第１の状態に調整された第１コアプレートと、各ティース部の磁気抵抗の組合せが第２の状態に調整された第２コアプレートを含んでいる。第１コアプレートと第２コアプレートの枚数比を調整することで、複数のコアプレートが積層された状態で、積層された複数のティース部によって形成される各磁路の磁気抵抗が同一となるように調整されている。
【０００７】
このブラシレスモータでは、複数のコアプレートに、各ティース部の磁気抵抗の組合せが相違する第１コアプレートと第２コアプレートが含まれている。そして、第１コアプレートと第２コアプレートの枚数比を調整することで、各磁路の磁気抵抗を変更することができる。このため、このブラシレスモータでは、複数のコアプレートを積層した状態で、各磁路の磁気抵抗が同一となるように、第１コアプレートと第２コアプレートの枚数比を調整することができる。したがって、第１コアプレートと第２コアプレートに高い精度がなくても、各磁路の磁気抵抗が同一となるように調整することができる。
【０００８】
ここで、上記の「磁気抵抗が同一となるように調整されている」とは、各磁路の磁気抵抗が完全に同一となるように調整することまでをも意味しているのではなく、各磁路の磁気抵抗の差が小さくなるように調整されていることを意味する。したがって、各磁路の磁気抵抗に、第１コアプレートと第２コアプレートの枚数比の調整によっては調整できない微小な差が生じていても、上記の「磁気抵抗が同一となるように調整されている」ことになる。
【０００９】
上記の第１コアプレートは、複数のティース部の少なくとも一つにおいて、予め設定された所定部位の断面積が第１断面積とされ、第２コアプレートは、前記所定部位に対応する部位の断面積が、第１断面積と異なる第２断面積とされていてもよい。このような構成では、ティース部の断面積を変えることで、簡易にティース部の磁気抵抗を変えることができる。
【００１０】
なお、ティース部の所定部位の断面積を変える場合は、各ティース部は、ロータの外周に間隔を空けて対向する先端部と、ヨークに接続される後端部と、先端部と後端部の間に設けられ、コイルが巻回される中間部を有しており、所定部位は、ティースの先端部又は中間部に設定することができる。
【００１１】
また、第１コアプレートは、所定部位において貫通孔が形成されておらず、第２コアプレートは、所定部位に対応する部位において貫通孔が形成されていてもよい。このような構成によっても、貫通孔の有無によって簡易にティース部の磁気抵抗を変えることができる。
【００１２】
また、本明細書は、上記のブラシレスモータを用いた新規な電動ポンプを開示する。すなわち、本明細書が開示する電動ポンプは、上記に記載したいずれかのブラシレスモータと、そのブラシレスモータによって駆動されるインペラと、そのインペラを回転可能に収容するポンプ室を有している。この電動ポンプでは、上記のブラシレスモータが用いられるため、インペラの回転振動が抑えられ、ポンプ効率を高くすることができる。
【図面の簡単な説明】
【００１３】
【図１】実施例１の電動ポンプの概略縦断面図を示す。
【図２】ステータの平面図。
【図３】図２のIII−III線断面図。
【図４】第１変形例に係るステータを示す図。
【図５】図４のV−V線断面図。
【図６】第２変形例に係るステータを示す図。
【図７】第３変形例に係るステータを示す図。
【実施例１】
【００１４】
実施例１の電動ポンプ１０は、自動車のエンジンルーム内に設置され、エンジンやインバータ等を冷却する冷却水を循環するために用いられる。図１に示すように、電動ポンプ１０は、ポンプ部２０、モータ部４０及び回路部７０を有している。
【００１５】
ポンプ部２０は、ケーシング１２の上部に形成されている。ポンプ部２０は、ポンプ室２６を有している。ポンプ室２６には、ケーシング１２に形成された吸入口２２と吐出口２４が接続されている。吸入口２２は、ポンプ室１４の上端に接続されている。吸入口２２は、回転体２８の回転軸が伸びる方向に伸びている。吐出口２４は、ポンプ室２６の外周に接続されている。吐出口２４は、ポンプ室２６の外周の接線方向に伸びている。ポンプ室２６内には、回転体２８のインペラ３０が配置されている。
【００１６】
モータ部４０は、ポンプ部２０の下方に配置されている。モータ部４０は、固定軸４２と、回転体２８と、ステータ５０を備えている。固定軸４２の下端は、ケーシング１２に固定されている。固定軸４２は、ケーシング１２内を上下方向に伸びており、その先端はポンプ室２６内に達している。固定軸４２には、回転体２８が回転可能に取り付けられている。回転体２８は、インペラ３０とロータ部４４を備えている。インペラ３０の上面には、一定の間隔で複数枚の羽根が形成されている。インペラ３０の下方には、円筒形状のロータ部４４が設けられている。ロータ部４４は、磁性材料によって形成されており、周方向に複数の磁極を有するように磁化処理が施されている。インペラ３０とロータ部４４とは一体に連結されている。このため、ロータ部４４が回転すると、インペラ３０も回転する。ステータ５０は、ロータ部４４の外周側に配置され、ロータ部４４と対向している。ステータ５０の詳細な構成については、後で詳述する。
【００１７】
回路部７０は、モータ部４０の下方に配置されている。回路部７０は、ステータ５０への給電制御を行うモータ駆動回路７２を備えている。モータ駆動回路７２は、図示しない配線により図示しない外部電源（例えば、車両に搭載されているバッテリ）に接続されている。モータ駆動回路７２は、外部電源から供給される電力をモータ部４０に供給する。
【００１８】
次に、ステータ５０について詳述する。図１に示すように、ステータ５０は、ケーシング１２内に埋設されており、その周囲を樹脂材料（すなわち、ケーシング１２の材料）によって囲まれている。図１〜３に示すように、ステータ５０は、複数種類のコアプレート５１ａ，５１ｂ（６１ａ，６１ｂ）を積層して形成されている。具体的には、ステータ５０は、中央に積層された複数の第１コアプレート５１ａ（６１ａ）と、それら積層された第１コアプレート５１ａ（６１ａ）の上下両面に積層された複数の第２コアプレート５１ｂ（６１ｂ）により形成されている。第１コアプレート５１ａ（６１ａ）と第２コアプレート５１ｂ（６１ｂ）は、電磁鋼板により形成されている。
【００１９】
図２に示すように、ステータ５０は、一対のステータブロック５０ａ，５０ｂを備えている。一対のステータブロック５０ａ，５０ｂは、ロータ部４４の周方向に間隔（すなわち、周方向に１８０度の間隔）を空けて配置されている。その結果、一対のステータブロック５０ａ，５０ｂは、ロータ部４４を挟んで左右対称に配置され、一対のステータブロック５０ａ，５０ｂ間にロータ部４４が配置されている。なお、図２から明らかなように、ステータブロック５０ａ，５０ｂの各ティース群は互いに平行に伸びている。このため、ステータ５０を平面視すると、ステータ５０は長辺と短辺を有する長方形状となっている。すなわち、ステータ５０は、偏平型のステータとなっている。
【００２０】
ステータブロック５０ａは、第１コアプレート５１ａと第２コアプレート５１ｂによって構成されている。ステータブロック５０ｂは、第１コアプレート６１ａと第２コアプレート６１ｂによって構成されている。なお、ステータブロック５０ｂは、ロータ部４４に対して左右対称に配置される点を除いて、ステータブロック５０ａと同一構成となっている。すなわち、第１コアプレート５１ａと第１コアプレート６１ａ、及び、第２コアプレート５１ｂと第２コアプレート６１ｂは、同一構成を有している。このため、以下では、ステータブロック５０ａを構成する第１コアプレート５１ａと第２コアプレート５１ｂについて主に説明する。
【００２１】
図２に示すように、第１コアプレート５１ａは、ヨーク５２と、ヨーク５２に固定された３本のティース５４，５５，５８を有している。３本のティース５４，５５，５８は、互いに平行に伸びている。３本のティース５４，５５，５８の先端には、幅広部５４ａ，５５ａ，５８ａが形成されている。幅広部５４ａ，５５ａ，５８ａは、ロータ部４４に隙間を介して対向している。３本のティース５４，５５，５８の後端は、ヨーク５２に固定されている。３本のティース５４，５５，５８の中間部５４ｂ，５５ｂ，５８ｂには、図示しないコイルが券回されている。３本のティース５４，５５，５８のうち中央のティース５５は、その中間部５５ｂの断面積が第１断面積Ａ１とされ、その磁気抵抗がＲ１に調整されている。また、両端のティース５４，５８は、同一形状を有し、その磁気抵抗はＲ２に調整されている。したがって、第１コアプレート５１ａでは、各ティース５４，５５，５８の磁気抵抗が組合せ（Ｒ２，Ｒ１，Ｒ２）に調整されている。
【００２２】
第２コアプレート５１ｂは、第１コアプレート５１ａと同様に、ヨーク５２と、ヨーク５２に固定された３本のティース５４，５６，５８を有している。第２コアプレート５１ｂでは、３本のティースのうち中央のティース５６の構成のみが、第１コアプレート５１ａの構成と相違する。すなわち、ティース５６の中間部５６ｂの断面積Ａ２は、第１コアプレート５１ａのティース５５の中間部５５ｂの断面積Ａ１より小さくされている（図３参照）。したがって、ティース５６の磁気抵抗は、ティース５５の磁気抵抗Ｒ１より大きな値Ｒ１’に調整されている。なお、第２コアプレート５１ｂの両端のティース５４，５８は、第１コアプレート１５１ａと同一であるため、その磁気抵抗はＲ２に調整されている。したがって、第２コアプレート５１ｂでは、各ティース５４，５６，５８の磁気抵抗が組合せ（Ｒ２，Ｒ１’，Ｒ２）に調整されている。
【００２３】
上記のステータブロック５０ａでは、第１コアプレート５１ａの枚数と第２コアプレート５１ｂの枚数との枚数比を調整することで、ロータ部４４を駆動する際に磁束が流れる各磁路の磁気抵抗が同一となるように調整されている。すなわち、ステータブロック５０ａでは、ティース群５８、ヨーク群５２及びティース群（５５，５６）を通る磁路（以下、磁路１という）と、ティース群５４、ヨーク群５２及びティース群（５５，５６）を通る磁路（以下、磁路２という）と、ティース群５８、ヨーク群５２及びティース群５４を通る磁路（以下、磁路３という）が形成される。磁路１と磁路２では、磁束がヨーク５２の一端から中央までの一部を流れ、磁路３では、磁束がヨーク５２の一端から他端までを流れる。このため、磁路１と磁路２は同一の磁路長となり、磁気抵抗も同一となる。一方、磁路３は、磁路１，２より磁路長が長くなり、そのままでは磁気抵抗が相違することとなる。そこで、本実施例では、磁路３の磁気抵抗を基準として、磁路１，２の磁気抵抗が磁路３の磁気抵抗と同一となるように、ステータブロック５０ａの中央のティース群（５５，５６）の磁気抵抗を調整する。
【００２４】
具体的には、まず、第１コアプレート５１ａを予め定められた枚数（設計値）だけ積層するとともに、その上下面に第２コアプレート５１ｂを予め定められた枚数（設計値）だけ積層する。そして、磁路３の磁気抵抗を測定し、次いで、磁路１又は磁路２の磁気抵抗を測定する。測定された磁路３の磁気抵抗と、測定された磁路１又は磁路２の磁気抵抗が相違する場合は、第１コアプレート５１ａの積層枚数と、第２コアプレート５１ｂの積層枚数を変える（すなわち、枚数比を調整する）。例えば、磁路３の磁気抵抗が磁路１又は磁路２の磁気抵抗より大きい場合は、磁路１又は磁路２の磁気抵抗を大きくする必要がある。このため、第１コアプレート５１ａの積層枚数を減らし、その減らした分だけ第２コアプレート５１ｂの積層枚数を増やす。逆に、磁路３の磁気抵抗が磁路１又は磁路２の磁気抵抗より小さい場合は、磁路１又は磁路２の磁気抵抗を小さくする必要がある。このため、第２コアプレート５１ｂの積層枚数を減らし、その減らした分だけ第１コアプレート５１ａの積層枚数を増やす。このように第１コアプレート５１ａと第２コアプレート５１ｂの枚数比を調整した後、再度、磁路３の磁気抵抗と、磁路１又は磁路２の磁気抵抗を測定する。そして、磁路３の磁気抵抗と、磁路１又は磁路２の磁気抵抗が同一となるまで、磁気抵抗の測定及び枚数比の調整を行う。これによって、ステータブロック５０ａの各磁路の磁気抵抗が同一となるように調整される。
【００２５】
なお、上述したように、ステータブロック５０ｂは、ロータ部４４に対して左右対称に配置される点を除いて、ステータブロック５０ａと同一構成となっている。また、第１コアプレート６１ａと第２コアプレート６１ｂは、上述した第１コアプレート５１ａ及び第２コアプレート６１ｂと同一構成を有している。すなわち、第１コアプレート６１ａの中央のティース６５の中間部の断面積Ａ１は、第２コアプレート６１ｂの中央のティース６６の中間部の断面積Ａ２より大きくされている。したがって、ステータブロック５０ｂにおいても、第１コアプレート６１ａの枚数と第２コアプレート６１ｂの枚数との枚数比を調整することで、ロータ部４４を駆動する際に磁束が流れる各磁路の磁気抵抗が同一となるように調整されている。なお、ステータブロック５０ａとステータブロック５０ｂは、同一構成であることから、ステータブロック５０ａの各磁路の磁気抵抗と、ステータブロック５０ｂの各磁路の磁気抵抗も同一となっている。
【００２６】
次に、電動ポンプ１０の動作について説明する。モータ駆動回路７２からステータ５０の各コイルに電力が供給されると、ロータ部４４が固定軸４２回りを回転する。この結果、インペラ３０が回転し、冷却水が吸入口２２よりポンプ室２６内に吸引される。ポンプ室２６内に吸引された冷却水は、インペラ３０の回転によって昇圧され、吐出口２４からケーシング１２外へ吐出される。上述したように、ステータ５０の各磁路は磁気抵抗が同一となるように調整されているため、ロータ部４４を駆動する駆動力の変動が抑えられる。その結果、ロータ部４４及びインペラ３０の回転振動が抑えられ、安定して冷却水を吐出することができる。
【００２７】
上述したように、本実施例の電動ポンプ１０では、第１コアプレート５１ａ，６１ａと第２コアプレート５１ｂ，６１ｂの枚数比を調整することで、ステータ５０に形成される各磁路の磁気抵抗を調整する。このため、複数のコアプレート５１ａ，５１ｂ，６１ａ，６１ｂを積層した状態で磁気抵抗の測定及び枚数比の調整を行い、各磁路の磁気抵抗を調整することができる。したがって、コアプレート５１ａ，５１ｂ，６１ａ，６１ｂの精度を高くしなくても、ステータ５０の各磁路の磁気抵抗を調整することができる。
【００２８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００２９】
例えば、ステータを構成する各コアプレートの形状は上記の実施例に限られず、図４，５に示す形状のコアプレートとしてもよい。以下、図４，５に示す変形例について説明する。図４に示すように、ステータ１５０は、一対のステータブロック１５０ａ，１５０ｂを備えている。ステータブロック１５０ａとステータブロック１５０ｂとは同一構成であるため、ここでは、ステータブロック１５０ａについて説明する。
【００３０】
図４，５に示すように、ステータブロック１５０ａは、複数の第１コアプレート１５１ａと、複数の第２コアプレート１５１ｂを有している。第１コアプレート１５１ａは、ステータブロック１５０ａの下端側に積層されている。第２コアプレート１５１ｂは、積層された第１コアプレート群１５１ａの上面に積層されている。第１コアプレート１５１ａの各ティース１５４，１５５，１５８の上面には、凸部１５４ｂ，１５５ｂ，１５８ｂがそれぞれ形成されている（図５参照）。また、第１コアプレート１５１ａの各ティース１５４，１５５，１５８の下面には、凹部１５４ｃ，１５５ｃ，１５８ｃがそれぞれ形成されている（図５参照）。第１コアプレート１５１ａの凸部１５４ｂ，１５５ｂ，１５８ｂが、上面に積層されている第１コアプレート１５１ａの凹部１５４ｃ，１５５ｃ，１５８ｃに嵌合することで、複数の第１コアプレート１５１ａが互いに位置決めされ、かつ、積層される。
【００３１】
一方、第２コアプレート１５１ｂは、両端のティース１５４，１５８は第１コアプレート１５１ａと同一の構成を有し、上面に凸部１５４ｂ，１５８ｂが形成され、下面に凹部１５４ｃ，１５８ｃが形成される。一方、第２コアプレート１５１ｂの中央のティース１５６には、貫通孔１５６ａが形成されている。図５の最も下方に位置する第２コアプレート１５１ｂの貫通孔１５６ａには、最も上方に位置する第１コアプレート１５１ａの凸部１５５ｂが嵌合する。これによって、第１コアプレート１５１ａと第２コアプレート１５１ｂとが位置決めされる。なお、第２コアプレート１５１ｂの中央のティース１５６には凸部及び凹部が形成されないため、隣接する第２コアプレート１５１ｂ同士では中央のティース１５６同士が位置決めされない。しかし、第２コアプレート１５１ｂの両端のティース１５４，１５８には凸部１５４ｂ，１５８ｂ及び凹部１５４ｃ，１５８ｃが形成され、両端のティース１５４，１５８において位置決めされる。このため、中央のティース１５６同士が位置決めされなくても問題は生じない。
【００３２】
上述した図４，５に示すステータ１５０では、第１コアプレート１５１ａの中央のティース１５５には凸部１５５ｂ及び凹部１５５ｃが形成される一方で、第２コアプレート１５１ｂの中央のティース１５６には貫通孔１５６ａが形成される。このため、凸部及び凹部（貫通孔）が形成された部位において、第１コアプレート１５１ａの断面積は、第２コアプレート１５１ｂの断面積より大きくなる。したがって、第１コアプレート１５１ａの中央のティース１５５の磁気抵抗は、第２コアプレート１５１ｂの中央のティース１５５の磁気抵抗よりも小さくなる。図４，５に示す変形例においても、第１コアプレート１５１ａと第２コアプレート１５１ｂの枚数比を調整することで、ステータ１５０の各磁路の磁気抵抗を調整することができる。
【００３３】
また、ティースの磁気抵抗を変えるためには、図６，７に示すコアプレート２５１ｂ，２６１ｂ，３５１ｂ，３６１ｂを用いることもできる。すなわち、図６に示すコアプレート２５１ｂ，２６１ｂでは、中央のティース２５６，２６６の先端に溝２５６ａ，２６６ａが形成されている。したがって、中央のティースに溝が形成されていないコアプレート（図示しない）と、図６に示すコアプレート１５１ｂ，２６１ｂとを用いてその枚数比を調整することで、ステータの各磁路の磁気抵抗を調整することができる。
【００３４】
また、図７に示すコアプレート３５１ｂ，３６１ｂでは、中央のティース３５６，３６６の中間部（コイルが券回される部分）の側面に溝３５６ａ，３５６ｂ，３６６ａ，３６６ｂが形成されている。したがって、中央のティースの中間部の側面に溝が形成されていないコアプレート（図示しない）と、図７に示すコアプレート３５１ｂ，３６１ｂとを用いてその枚数比を調整することで、ステータの各磁路の磁気抵抗を調整することができる。
【００３５】
なお、上述した各実施例では、コアプレートの中央のティースの磁気抵抗が第１の磁気抵抗に調整された第１コアプレートと、コアプレートの中央のティースの磁気抵抗が第２の磁気抵抗に調整された第２コアプレートとの枚数比を調整することで、ステータブロックの中央のティース群の磁気抵抗を調整したが、本発明はこのような例に限られない。例えば、コアプレートの一端のティースの磁気抵抗を第３の磁気抵抗に調整した第３コアプレートと、コアプレートの一端のティースの磁気抵抗を第４の磁気抵抗に調整した第４コアプレートとの枚数比を調整することで、ステータブロックの一端のティース群の磁気抵抗を調整してもよい。さらには、コアプレートの他端のティースの磁気抵抗を第５の磁気抵抗に調整した第５コアプレートと、コアプレートの一端のティースの磁気抵抗を第６の磁気抵抗に調整した第６コアプレートとの枚数比を調整することで、ステータブロックの他端のティース群の磁気抵抗を調整してもよい。このように多種類のコアプレートの枚数比を調整することで、各ティース群の磁気抵抗を調整できる。したがって、コアプレートの製造誤差が大きくばらつき、上述した磁路１と磁路２と磁路３の磁気抵抗の全てが異なる場合でも、各磁路１，２，３の磁気抵抗が同一となるように調整することができる。
【００３６】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３７】
１０：電動ポンプ
１２：ケーシング
２０：ポンプ部
２８：回転体
３０：インペラ
４０：モータ部
４４：ロータ部
５０：ステータ
【図１】
2013090373.tif 000003
【図２】
2013090373.tif 000004
【図３】
2013090373.tif 000005
【図４】
2013090373.tif 000006
【図５】
2013090373.tif 000007
【図６】
2013090373.tif 000008
【図７】
2013090373.tif 000009